(57)【要約】【課題】荷台の上部に沿ってラッチ歯を配列するとともに、押し板の肩部にラッチ爪を配して、スライド板駆動シリンダの後退時にそのラッチ爪がラッチ歯と確実に係合し、係止・非係止を繰り返して荷台に積載するバラ荷を荷台後端から排出できるようにする。【解決手段】荷台上で運転室側から荷台後端部に向け移動する荷降ろし用の押し板４を備える運搬車両において、その荷台２の両側板２ａ上部に所要のピッチで間欠的にラッチ歯１２が配設され、荷台２の内部にて往復動するスライド板７上で所定方向へ移動可能に配備される前記押し板４の両肩部４ａには、前記ラッチ歯１２と係合するラッチ爪１５が係脱可能に設けられ、前記ラッチ爪１５は、前記スライド板７の駆動シリンダ５の１ストロークＳ分押し板４が前進または後退すると当該位置のラッチ歯１２からやや離れて停止され、前記スライド板７が後退または前進するとラッチ歯１２に係止されるように構成されている。【選択図】　　　　　図３
2004017695.tif 000002
【特許請求の範囲】
【請求項１】
荷台上で運転室側から荷台後端部に向けて移動する荷降ろしのための押し板を備える運搬車両において、
その荷台の両側板上部に、所要のピッチで間欠的にラッチ歯が配設されており、荷台の内部にて往復移動するスライド板上で所定方向へ移動可能に配備される前記押し板の両側上肩部には、前記ラッチ歯と係合するラッチ爪が両側で係脱可能に設けられ、
前記ラッチ爪は、前記スライド板の駆動シリンダの１ストローク分押し板が前進または後退すると当該位置のラッチ歯からやや離れて停止され、前記スライド板が後退または前進すると戻されてラッチ歯に係止されるように構成されていることを特徴とする貨物運搬車両における荷降ろし装置。
【請求項２】
前記ラッチ歯は、荷台側板の両側上端部に沿って内側に配設される支持部材の上面に歯厚寸法よりも谷部寸法が長い間欠歯とされる請求項１に記載の貨物運搬車両における荷降ろし装置。
【請求項３】
前記押し板の両側上肩部に設けられるラッチ爪は、それぞれ軸受にて支承される支持軸の外端部に付設され、それら支持軸の内端部に付設されるリンク端部をロッドにて相互に連結するとともに、押し板の背面側に設けられるアクチュエータによって、反転操作できるようにリンク機構で接続されている構成である請求項１に記載の貨物運搬車両における荷降ろし装置。
【発明の詳細な説明】
【０００１】
【発明の属する技術分野】
本発明は、主としてバラ物の貨物を運搬する貨物運搬車両の荷降ろし装置に係るもので、詳しくは車両の荷台部に備えられて、自動操作で積荷を後方に押出して荷降ろしを行なう押し板に、間欠的に推進力を与える際の一時係止とその解除を反復して自動的に行わせるラッチ機構の係止機能を確実にする、貨物運搬車両における荷降ろし装置に関するものである。
【０００２】
【従来の技術】
従来、主としてバラ物の貨物を直接荷台に積載して運搬する車両（トラック）では、貨物の積み下ろしを効率よく行なう必要がある。そのため、例えば土砂などを積載して運搬するトラックでは、荷降ろし時に荷台を傾斜させて排出するような方式が採用されている。このほかに、見掛け比重の小さいバラ物貨物（例えば、チップ材など）を運搬する場合には、積載容積が大きくなるので長尺荷台の車両が使用されている。このようなバラ物を取扱う場合、荷台を傾斜させて積荷を排出することが構造的に無理であるので、専用のプラットフォーム上に車両を載せて、車両全体を傾斜させて積荷を荷台後端から排出させるような手段を講じている。
【０００３】
ところで、トラックの荷台から積荷の荷降ろし操作を能率よくする手段としては、荷台を傾斜させる以外に、荷台上で運転室側から後端に向かって隔壁板を移動させて徐々に積荷を降ろす方式が既に開示されている。例えば、特許第３０６２５６８号公報によって知られるように、荷台上をキャビン側から後端へ向けて前後動可能なスライド板と、このスライド板上で左右の荷台側板に側端を係止可能にして、係止時にスライド板のみ移動して非係止時にスライド板とともに移動するようにされた隔壁板とを備え、そのスライド板の前進によってともに隔壁板を移動させて積荷を押出し、隔壁板を係止状態にした後にスライド板を後退させて次の前進動作に対応させるようにされ、これの繰り返しによって順次押し板を移動させて積荷を押し出し排出する荷降ろし装置が記載されている。
【０００４】
【発明が解決しようとする課題】
このような間欠移動によって順次積荷を押出して排出する方式を採用する場合には、隔壁板を仮保持（係止）する手段を荷台側板部に設ける必要がある。前記先行技術においては、この仮保持する手段について何等の記載も認められない。また、この隔壁板を係止するための機構（係止機構）を設けようとすると、その部分は積荷側になるので、荷積みの際に、例えばグラブバケットを用いて荷台上に投入する方式が採用されると、どうしても落下する投入物が隔壁板の係止機構に降りかかることになり、投入物が付着して故障の原因となるという問題点がある。しかも、その隔壁板は、原則的にキャビン側の起動始点から荷台後端部の終点までの範囲において係止されるので、その係止機構の付設範囲全般にわたり投入物が降りかかるのを防止することが要求される。
【０００５】
また、前記隔壁板を間欠的に係止するには、積荷と接しない個所に係止機構の反力を受ける構造部を設けることが要求されるが、構造的にその配置について通常手段では実用に適さない。その問題点としては、例えば荷台の床面に設けようとするとどうしても積荷と接することになるので、隔壁板を移動させるときに、積荷を取除きつつ係止することとなり、構造的に困難である。また、荷台側板の側面を利用しようとすると、やはり積荷と接して不具合であることのほか、側板を外向きに押しつける作用力が発生するので頑丈な構造の側板が要求され、コストアップとなるのみならず自重量が増加するので積載荷重がその分少なくなるという問題がある。
【０００６】
本発明は、かかる問題点を解決するためになされたもので、積載貨物が接触しない荷台の上部に沿って所要ピッチで間欠的にラッチ歯を配列するとともに、押し板の上肩部にラッチ爪を設けて、スライド板駆動シリンダの後退時にそのラッチ爪がラッチ歯と確実に係合して、係止・非係止を繰り返して荷台に積載するバラ荷を荷台後端から排出できるようにする、貨物運搬車両における荷降ろし装置を提供することを目的とするものである。
【０００７】
【課題を解決するための手段および作用・効果】
前述された目的を達成するために、本発明による貨物運搬車両における荷降ろし装置は、
荷台上で運転室側から荷台後端部に向けて移動する荷降ろし用の押し板を備える運搬車両において、
その荷台の両側板上部に、所要のピッチで間欠的にラッチ歯が配設されており、荷台の内部にて往復移動するスライド板上で所定方向へ移動可能に配備される前記押し板の両側肩部には、前記ラッチ歯と係合するラッチ爪が両側で係脱可能に設けられ、
前記ラッチ爪は、前記スライド板の駆動シリンダの１ストローク分押し板が前進または後退すると当該位置のラッチ歯からやや離れて停止され、前記スライド板が後退または前進すると戻されてラッチ歯に係止されるように構成されていることを特徴とするものである（第１発明）。
【０００８】
本発明によれば、荷台上でその後端に向けて移動する荷降ろしのための押し板の係止機構として設けられるラッチ歯とラッチ爪との関係を、両側の荷台側板上部のほぼ全長に亙り設けられるラッチ歯が不連続の歯（間欠歯）とされ、一方押し板の両側上肩部に設けられるラッチ爪が、駆動シリンダの１ストローク分相当の距離スライド板が前進または後退することで、荷台側板上部に配設されるラッチ歯間の谷部に一旦停止される。その後に、駆動シリンダが後退または前進を開始するとスライド板の移動方向に押し板が少し追従し（戻され）てラッチ爪がラッチ歯に係止されるので、押し板が進行方向に少し傾いていたとしても、ラッチ爪がラッチ歯に当接したときに自動的に修正され、安定した作動を確保することができるという効果を奏するのである。したがって、多数回駆動シリンダの伸縮動作を繰り返しスライド板を介して押し板を後方に移動させることにより、荷台に積載のバラ荷を荷台の後端から排出することができる。また、ラッチ爪を反転させて押し板を進退操作させると、待機位置（元の位置）まで後退させることができる。
【０００９】
前記発明において、前記ラッチ歯は、荷台側板の両側上端部に沿って内側に配設される支持部材の上面に歯厚寸法よりも谷部寸法が長い間欠歯とされるのがよい（第２発明）。こうすると、荷台の内側でスライド板とともに移動する押し板が駆動シリンダの１ストローク分前進移動して係止状態に到るとき、ラッチ歯間に形成される谷部の空間長さを歯の厚さよりもやや長くしておくことで、歯を乗り越えたラッチ爪が所要ピッチ前進後に歯厚と前記空間長さとの差分後退することになって、確実に係止させることができ、押し板の移動を確実にすることができるという利点がある。
【００１０】
前記押し板の両側上肩部に設けられるラッチ爪は、それぞれ軸受にて支承される支持軸の外端部に付設され、それら支持軸の内端部に付設されるリンク端部をロッドにて相互に連結するとともに、押し板の背面側に設けられるアクチュエータによって、反転操作できるようにリンク機構で接続されている構成であるのがよい（第３発明）。こうすると、両側の荷台側板上肩部に沿わせて設けられるラッチ歯に対するラッチ爪が同調して作動し、押し板が係止されるときに捻れを生じるというような変則的負荷を受けることがないという効果を奏する。また、ラッチ爪の反転操作に際しても同調させることができるという利点がある。
【００１１】
【発明の実施の形態】
次に、本発明による貨物運搬車両における荷降ろし装置の具体的な実施の形態につき、図面を参照しつつ説明する。
【００１２】
図１には本実施形態の荷降ろし装置を備える運搬車両の全体縦断概要図が示されている。図２にはラッチ機構のラッチ歯とラッチ爪との関係を表わす正面図（ａ）とそのａ−ａ視図（ｂ）が、図３にはラッチ機構を備える押し板とスライド板の駆動シリンダとの関係を表わす概要図（ａ）およびラッチ機構部分の拡大図（ｂ）が、図４にはラッチ機構のラッチ爪操作手段を表わす図が、図５には図４の一部省略Ａ−Ａ視図が、それぞれ示されている。
【００１３】
本実施形態の荷降ろし装置を備える運搬車両１（以下、トラック１という）は、主にバラ物の貨物を運搬する長尺の荷台２を備えるロングボディ型のもので、その荷台２上には運転室３側から後端に向って積荷を押して荷降ろしする押し板４と、その押し板４を受支して往復動するスライド板７およびその駆動手段５（油圧シリンダで、以下駆動シリンダ５という）とが備えられ、荷台２の両側板２ａ，２ａを高くして、その上部には開閉構造の覆い天板６（天蓋）が付設されている。
【００１４】
前記荷台２上に設けられる荷降ろし用の押し板４は、荷台２の両側板２ａ，２ａの内幅にほぼ合致する幅寸法で、かつその側板２ａの高さ寸法に相応した高さ寸法を有する支持フレームに取着された隔壁板構造にされ、車体８（シャーシ）上に載設される荷台支持部の上位置で前記駆動シリンダの１ストローク分の距離前後にスライドするスライド板７の上面に可動状態で受支され、荷降ろし時にはスライド板７の前進に追従して移動し、そのスライド板７の後退時には停止状態に保たれるようにするラッチ機構１０の可動部が、両上肩部（側板側）に取り付けられている。なお、前記スライド板７と駆動シリンダ５とは、その駆動シリンダ５のピストンロッド５’端がスライド板端部のスライド板操作部７ａに繋がれており、車体８側に固着される駆動シリンダ基端部の取付ブラケット５ａと干渉しないように駆動シリンダ５の下側位置でスライド板７を切欠いてある。図中符号９は荷台の後部扉である。
【００１５】
前記ラッチ機構１０は、荷台両側板２ａ，２ａの上端部の内側で全長に亙って固着される支持部材１１の上面に配設されるラッチ歯１２と、前記押し板４の両上肩部４ａの上に軸受１３で支承される支持軸１４の外端に取付いて前記ラッチ歯１２と係合・離脱可能にされたラッチ爪１５およびそのラッチ爪１５に係止力を付勢するとともに後退時に反転できるようにするラッチ操作手段２０とで構成されている。
【００１６】
前記ラッチ歯１２は、荷台側板２ａの上端部内側を所要高さ寸法で段落ちさせてそれ以下の側板部よりも厚みを薄くされた内側部分２ａ’に水平状態で固着される角型の支持部材１１上に、所定のピッチＰでほぼ全長に亙り付設されている。そして、そのラッチ歯１２は、所定のピッチＰにおいてラッチ歯１２，１２間に形成される谷部１２’の空間長さＬを歯厚Ｔよりもやや長くなる間欠歯とされている。また、前記ラッチ歯１２のピッチＰは、前記スライド板７を進退駆動する駆動シリンダの１ストロークＳをほぼ整数で割った長さ寸法とされている。
【００１７】
押し板４側に設けられるラッチ爪１５は、前述のように押し板４の肩部４ａ上に取付く軸受１３にて支承される支持軸１４の外端部に固着されて、図２（ａ）で示されるように、支持軸１４の軸芯を基準にして対称に設けられ、そのいずれか一方の爪先１５’が前記ラッチ歯１２に係合するようにされている。このようなラッチ爪１５の支持軸１４他端（内側端）にはいずれもアーム１６が固着され、それらアーム１６，１６を接続ロッド１７によって相互に連結されている。したがって、ラッチ爪１５，１５の作動はその接続ロッド１７によって両方が同調するようにされている。
【００１８】
また、前記接続ロッド１７の中間位置には、押し板４の背面側に装備されるラッチ操作手段２０の直線作動機２１（モータシリンダ２１）と、これに直結されるスプリング式の緩衝器２２を介してリンク機構２４の先端が連結ブラケット１８を介して可動的に接続されている。
【００１９】
前記モータシリンダ２１（第３発明のアクチュエータに対応する）は、基端部を押し板４の背面部にブラケット２３により支持され、このモータシリンダ２１の進退自在な出力ロッド２１ａの上端に、スプリング式の緩衝器２２が連結され、その緩衝器２２のロッド２２ａ先端部を押し板４の背面に突設された軸支持部材２５，２５で支持される中間軸２６の一端に固着のレバー２７と可動的に連結され、さらにその中間軸２６の他端に固着のレバー２８と前記接続ロッド１７に設けられた連結ブラケット１８とを連結ロッド２９によって接続されて、前記緩衝器２２によってラッチ爪１５がラッチ歯１２に係止される係止力が得られるようにされている。また、押し板４の移動時には、ラッチ爪１５がラッチ歯１２を乗り越えるのを許容すると同時に逆動するのを阻止する働きを行わせるようにされている。
【００２０】
前記モータシリンダ２１は、その出力ロッド２１ａを前進させることにより前記のリンク機構（緩衝器ロッド２２ａ〜連結ロッド２９）でもって接続ロッド１７を押上げて、ラッチ爪１５のラッチ歯１２に対する噛み合い（係合）方向を前進から後退に切換えるように機能する。このモータシリンダ２１には、図示されないケーブルリールに巻き付けられているケーブルにより動力が供給されるようになっている。
【００２１】
このように構成される本実施の形態では、荷台２の内部に例えばバラ荷を積載して運搬する場合、その積み込み時には覆い天板６を開いた状態で上側から投入するなどして積み込まれる。荷降ろしを行うには、荷台２の後部に備える扉９を開いて排出することになる。まず、図３（ａ）に示されるように、車体８上に基端を取付ブラケット５ａにて支持される駆動シリンダ５を作動させて、所定のストロークＳ分シリンダロッド５’を引き込ませる。すると、そのピストンロッド５’と繋がるスライド板操作部７ａを介してスライド板７とその上に載置された状態にある押し板４とがともに矢印方向Ｙ（荷台の後方へ向けて）移動する。このとき、スライド板７の前進によって荷台２内部積み込まれているバラ荷は、図示省略するが荷台２の後端から後方にスライド板７上にのって押出される。
【００２２】
このスライド板７が駆動シリンダ５の１ストロークＳ分前進すると、搭載されている押し板４は、その上端の肩部４ａに配されているラッチ爪１５が荷台側板２ａの上部内側に沿って配設されるラッチ歯１２の上を複数ピッチに亙り乗り越えてスライド板７の移動相当距離Ｓだけ移動する。すると、そのラッチ爪１５は、図３（ｂ）にて示されるように、複数のラッチ歯１２を乗り越えたラッチ爪１５が、そのラッチ歯１２の１ピッチＰについて歯厚Ｔよりも谷部１２’の空間長さＬが長い関係に形成されているので、移動停止すると、ラッチ爪１５の爪先１５’がラッチ歯１２とやや離れた谷部１２’の位置に到達する。したがって、このスライド板７が移動相当距離Ｓ移動して停止した時点では、押し板４が未係止の状態にある。
【００２３】
駆動シリンダ５が前述と逆に作動する（復帰行程に移行開始する）と、スライド板７はそのまま後退することになり、未係止状態にある押し板４は、そのままスライド板７とともに後退しようとする。すると、その両肩部４ａに備えられているラッチ爪１５が前記ラッチ歯１２の歯厚Ｔと谷部１２’との差分（ｎ＝Ｌ−Ｔ）相当寸法後退することで、そのラッチ爪１５の爪先１５’がラッチ歯１２に当接され、確実に係止させることができるのである。
【００２４】
このように駆動シリンダ５による１ストロークＳスライド板７を移動させるにあたり、その上に載置される押し板４をともに同距離Ｓ移動させて、ラッチ歯１２とラッチ爪１５との係合を一旦オーバーランさせた状態にして、スライド板７が後退行程に移行するときにラッチ爪１５をラッチ歯１２に係合させるようにすることにより、押し板４が前進動作に際して幅方向の左右で多少の移動ずれ（平面的に見て傾き）が生じてもその修正が行われ、１ストロークの移動ごとに修正されることから、荷押し動作の円滑化を確保することができるのである。また、積荷を押出す操作に伴う圧縮反力に対しても、オーバーラン分の係合空間を持たせておくことにより、押し戻しに対応させることができ、無理なく反復して積荷の押出し操作を継続させることができる。
【００２５】
また、ラッチ爪１５が移動するときには、支持軸１４の他端部に取付くアーム１６を介して接続される接続ロッド１７によりリンク機構２４を経て緩衝器２２が操作され、その緩衝器２２内のスプリングによる緩衝作用によってラッチ歯１２を乗り越えると速やかに引き下げられ、その乗り越えたラッチ歯１２の前側に爪先が係合する。そして、この動作が前記駆動手段５の１ストロークに相当する距離繰り返し行われるので、動作の途中でラッチ爪１５が浮くことはない。
【００２６】
本実施形態では、上述のようにラッチ機構１０を作動させて押し板４を係止・非係止の繰り返しによって、スライド板７の反復スライド機能を利用してバラ荷の押し出し排出（荷降ろし）作業が効率よく行うことができる。なお、ラッチ操作手段２０におけるモータシリンダ２１を作動させてラッチ爪１５を前述と逆の向きにラッチ歯１２と係合するように操作すれば、荷台２の後部に移動した押し板４を元の位置に戻す操作が行えるのである。この際にも、前記機能が有効に発揮でき後退動作を円滑に行えるのである。
【図面の簡単な説明】
【図１】図１は、本実施形態の荷降ろし装置を備える運搬車両の全体縦断概要図である。
【図２】図２は、ラッチ機構のラッチ歯とラッチ爪との関係を表わす正面図（ａ）とそのａ−ａ視図（ｂ）である。
【図３】図３は、ラッチ機構を備える押し板とスライド板の駆動シリンダとの関係を表わす概要図（ａ）およびラッチ機構部分の拡大図（ｂ）である。
【図４】図４は、ラッチ機構のラッチ爪操作手段を表わす図である。
【図５】図５は、図４の一部省略Ａ−Ａ視図である。
【符号の説明】
１　　　　　　　　　　運搬車両（トラック）
２　　　　　　　　　　荷台
２ａ　　　　　　　　　荷台の側板
３　　　　　　　　　　運転室
４　　　　　　　　　　荷降ろし用の押し板
４ａ　　　　　　　　　押し板の肩部
５　　　　　　　　　　駆動シリンダ
７　　　　　　　　　　スライド板
８　　　　　　　　　　車体
１０　　　　　　　　　ラッチ機構
１１　　　　　　　　　支持部材
１２　　　　　　　　　ラッチ歯
１２’　　　　　　　　ラッチ歯の谷部
１３　　　　　　　　　軸受
１４　　　　　　　　　支持軸
１５　　　　　　　　　ラッチ爪
１６　　　　　　　　　アーム
１７　　　　　　　　　接続ロッド
２０　　　　　　　　　ラッチ操作手段
２１　　　　　　　　　モータシリンダ
２２　　　　　　　　　緩衝器
２４　　　　　　　　　リンク機構
【図１】
2004017695.tif 000003
【図２】
2004017695.tif 000004
【図３】
2004017695.tif 000005
【図４】
2004017695.tif 000006
【図５】
2004017695.tif 000007